(57)【要約】      （修正有）【課題】構造がシンプルで、簡単且つ迅速に組み付けられ、解体後の占有スペースが小さく、梱包や運搬に便利で、解体が容易であるメッシュ式収納ラックを提供する。【解決手段】メッシュ式収納ラックは、第１フレーム１と、第１フレームの一方の側に装設されるとともに第１フレームと間隔を置いて設置される第２フレーム２を含む。第１フレームと第２フレームの間には、物を載置するための収納かご３が装設される。第１フレームと第２フレームの互いに面する側にはそれぞれ少なくとも１つのフック部材４が装設されている。フック部材は金属棒を折り曲げて成型され、フック部材を内側に折り曲げることでフックが形成される。収納かごの底部にはフック支持部材５１が装設され、フック支持部材を第１フレームと第２フレームの対応するフック部材のフックにそれぞれ係接することで、収納かごと第１フレーム及び第２フレームの解体可能な接続が実現される。【選択図】図１
0003229431.tif 000002
【実用新案登録請求の範囲】
【請求項１】
第１フレーム（１）と、前記第１フレーム（１）の一方の側に装設されるとともに前記第１フレーム（１）と間隔を置いて設置される第２フレーム（２）を含み、前記第１フレーム（１）と前記第２フレーム（２）の間には、物を載置するための収納かご（３）が装設されており、前記第１フレーム（１）と前記第２フレーム（２）の互いに面する側にはそれぞれ少なくとも１つのフック部材（４）が装設されており、前記フック部材（４）は金属棒を折り曲げて成型され、前記フック部材（４）を内側に折り曲げて成型することでフック（４１）が形成され、前記収納かご（３）の底部にはフック支持部材（５）が装設されており、前記フック支持部材（５）を前記第１フレーム（１）と前記第２フレーム（２）の対応する前記フック部材（４）の前記フック（４１）にそれぞれ係接することで、前記収納かご（３）と前記第１フレーム（１）及び前記第２フレーム（２）の解体可能な接続が実現されることを特徴とする解体が容易なメッシュ式収納ラック。
【請求項２】
前記フック支持部材（５）は、第１フック支持部材（５１）及び第２フック支持部材（５２）を含んでおり、前記第１フック支持部材（５１）は前記収納かご（３）の底部の一端に装設され、前記第２フック支持部材（５２）は前記収納かご（３）の底部の他端に装設され、前記第１フック支持部材（５１）と前記第２フック支持部材（５２）を下方に折り曲げることでフック部（５３）が成型されており、前記第１フック支持部材（５１）と前記第２フック支持部材（５２）の前記フック部（５３）は、板金製の金属プレートを下方に折り曲げて成型され、各前記フック部（５３）を前記第１フレーム（１）と前記第２フレーム（２）の対応する前記フック部材（４）の前記フック（４１）にそれぞれ係接することで、前記収納かご（３）と前記第１フレーム（１）及び前記第２フレーム（２）の解体可能な接続が実現されることを特徴とする請求項１に記載の解体が容易なメッシュ式収納ラック。
【請求項３】
前記フック支持部材（５）は、前記フック支持部材（５）の重量を軽減するための第３フック支持部材（５４）、第４フック支持部（５５）、第５フック支持部材（５６）及び第６フック支持部（５７）を含み、前記第３フック支持部材（５４）と前記第５フック支持部材（５６）は前記収納かご（３）の底部の一端に装設され、前記第４フック支持部（５５）と前記第６フック支持部（５７）は前記収納かご（３）の底部の他端に装設されることを特徴とする請求項１に記載の解体が容易なメッシュ式収納ラック。
【請求項４】
前記フック支持部材（５）は環状の金属棒から構成され、前記フック支持部材（５）は、第７フック支持部（５８）と第８フック支持部（５９）を含んでおり、前記第７フック支持部（５８）は前記収納かご（３）の底部の一端に装設され、前記第８フック支持部（５９）は前記収納かご（３）の底部の他端に装設され、フック部（５３）は金属棒を下方に折り曲げることで成型されることを特徴とする請求項１に記載の解体が容易なメッシュ式収納ラック。
【請求項５】
前記フック支持部材（５）と前記収納かご（３）の接続方式は、溶接、リベット接合又はボルト接続とすることを特徴とする請求項１に記載の解体が容易なメッシュ式収納ラック。
【請求項６】
前記第１フレーム（１）と前記第２フレーム（２）の下方の一方の側にはユニバーサルホイール（６１）が装設されており、前記第１フレーム（１）と前記第２フレーム（２）の下方の別の側にはブレーキ付きのユニバーサルホイール（６２）が装設されていることを特徴とする請求項１に記載の解体が容易なメッシュ式収納ラック。
【請求項７】
前記収納かご（３）には均一に分布する複数のメッシュ孔が穿たれていることを特徴とする請求項１に記載の解体が容易なメッシュ式収納ラック。
【請求項８】
前記第１フレーム（１）、前記第２フレーム（２）及び前記収納かご（３）はいずれも金属材料部材であることを特徴とする請求項１に記載の解体が容易なメッシュ式収納ラック。
【請求項９】
前記第１フレーム（１）と前記第２フレーム（２）は、中空又は中実の円形の金属棒材を一体的に折り曲げて成型されることを特徴とする請求項１に記載の解体が容易なメッシュ式収納ラック。
【請求項１０】
前記第１フレーム（１）と前記第２フレーム（２）は、中空又は中実の四角形の金属形材を一体的に折り曲げて成型されることを特徴とする請求項１に記載の解体が容易なメッシュ式収納ラック。
【考案の詳細な説明】
【技術分野】
【０００１】
本考案は収納ラックの技術分野に関し、より具体的には、解体が容易なメッシュ式収納ラックに関する。
【背景技術】
【０００２】
日常生活において、人々は収納ラックに物を置くことが多い。一般的に、従来の収納ラックは一体型構造のものが多く、解体不可能なことから大きなスペースを占有する。そのため、梱包・運搬コストが嵩み、メーカーや販売者及び使用者を悩ませている。市場には解体可能な収納ラックも存在するが、これらの解体可能な収納ラックは構造が複雑であり、部材が多く、着脱が容易でない。
【考案の概要】
【考案が解決しようとする課題】
【０００３】
本考案の目的は、従来技術における上記の瑕疵を解消し、構造がシンプルであり、簡単且つ迅速に組み付けられ、解体後の占有スペースが小さく、梱包や運搬に便利であり、解体が容易なメッシュ式収納ラックを提供することである。
【課題を解決するための手段】
【０００４】
上記の目的を実現するために、本考案は、解体が容易なメッシュ式収納ラックを提供する。当該メッシュ式収納ラックは、第１フレームと、第１フレームの一方の側に装設されるとともに第１フレームと間隔を置いて設置される第２フレームを含む。前記第１フレームと第２フレームの間には、物を載置するための収納かごが装設されている。第１フレームと第２フレームの互いに面する側にはそれぞれ少なくとも１つのフック部材が装設されている。前記フック部材は金属棒を折り曲げて成型され、前記フック部材を内側に折り曲げて成型することでフックが形成される。前記収納かごの底部にはフック支持部材が装設されており、前記フック支持部材を第１フレームと第２フレームの対応するフック部材のフックにそれぞれ係接することで、収納かごと第１フレーム及び第２フレームの解体可能な接続が実現される。
【０００５】
好ましくは、前記フック支持部材は、第１フック支持部材及び第２フック支持部材を含んでいる。前記第１フック支持部材は収納かごの底部の一端に装設され、前記第２フック支持部材は収納かごの底部の他端に装設される。また、前記第１フック支持部材と第２フック支持部材を下方に折り曲げることでフック部が成型されている。前記第１フック支持部材と第２フック支持部材のフック部は、板金製の金属プレートを下方に折り曲げて成型される。各フック部を第１フレームと第２フレームの対応するフック部材のフックにそれぞれ係接することで、収納かごと第１フレーム及び第２フレームの解体可能な接続が実現される。
【０００６】
好ましくは、前記フック支持部材は、フック支持部材の重量を軽減するための第３フック支持部材、第４フック支持部、第５フック支持部材及び第６フック支持部を含む。前記第３フック支持部材と第５フック支持部材は収納かごの底部の一端に装設され、前記第４フック支持部と第６フック支持部は収納かごの底部の他端に装設される。
【０００７】
好ましくは、前記フック支持部材は環状の金属棒から構成される。前記フック支持部材は、第７フック支持部と第８フック支持部を含んでいる。前記第７フック支持部は収納かごの底部の一端に装設され、前記第８フック支持部は収納かごの底部の他端に装設される。前記フック部は金属棒を下方に折り曲げることで成型される。
【０００８】
好ましくは、前記フック支持部材と収納かごの接続方式は、溶接、リベット接合又はボルト接続とする。
【０００９】
好ましくは、前記第１フレームと第２フレームの下方の一方の側にはユニバーサルホイールが装設されており、前記第１フレームと第２フレームの下方の別の側にはブレーキ付きのユニバーサルホイールが装設されている。
【００１０】
好ましくは、前記収納かごには均一に分布する複数のメッシュ孔が穿たれている。
【００１１】
好ましくは、前記第１フレーム、第２フレーム及び収納かごはいずれも金属材料部材である。
【００１２】
好ましくは、前記第１フレームと第２フレームは、中空又は中実の円形の金属棒材を一体的に折り曲げて成型される。
【００１３】
好ましくは、前記第１フレームと第２フレームは、中空又は中実の四角形の金属形材を一体的に折り曲げて成型される。
【考案の効果】
【００１４】
従来技術と比較して、本考案の有益な効果は以下の通りである。
【００１５】
本実施例では、第１フレームと、第１フレームの一方の側に装設されるとともに第１フレームと間隔を置いて設置される第２フレームが設けられている。前記第１フレームと第２フレームの間には、物を載置するための収納かごが装設されている。第１フレームと第２フレームの互いに面する側にはそれぞれ少なくとも１つのフック部材が装設されている。前記フック部材は金属棒を折り曲げて成型され、前記フック部材を内側に折り曲げて成型することでフックが形成される。前記収納かごの底部にはフック支持部材が装設されており、前記フック支持部材を第１フレームと第２フレームの対応するフック部材のフックにそれぞれ係接することで、収納かごと第１フレーム及び第２フレームの解体可能な接続が実現される。本考案では、第１フレームと第２フレームの互いに面する側に、それぞれ少なくとも１つのフック部材が装設されており、収納かごの底部にフック支持部材が装設されている。組み付け時には、各フック支持部材をフック部材にそれぞれ係接することで、収納かごと第１フレーム及び第２フレームの解体可能な接続が実現される。本考案は、構造がシンプルであり、簡単且つ迅速に組み付けられ、解体後の占有スペースが小さく、梱包や運搬に便利であり、解体が容易であるとの利点を有する。
【００１６】
本考案の実施例又は従来技術の技術方案をより明確に説明すべく、以下に、実施例又は従来技術の記載に要する図面について簡単に説明する。なお、以下に記載する図面は本考案の実施例の一部にすぎず、当業者であれば、創造的労働を伴うことなくこれら図面から更にその他の図面を取得することも可能である。
【図面の簡単な説明】
【００１７】
【図１】図１は、本考案で提供する実施例１の解体が容易なメッシュ式収納ラックの正面構造を示す図である。
【図２】図２は、本考案で提供する実施例１の解体が容易なメッシュ式収納ラックの底部の分解構造を示す図である。
【図３】図３は、図２のＩＩ部分の拡大構造を示す図である。
【図４】図４は、本考案で提供する実施例２の解体が容易なメッシュ式収納ラックの正面構造を示す図である。
【図５】図５は、本考案で提供する実施例２の解体が容易なメッシュ式収納ラックの底部の分解構造を示す図である。
【図６】図６は、図５のＩ部分の拡大構造を示す図である。
【図７】図７は、本考案で提供する実施例３の解体が容易なメッシュ式収納ラックの正面構造を示す図である。
【図８】図８は、本考案で提供する実施例３の解体が容易なメッシュ式収納ラックの底部の分解構造を示す図である。
【図９】図９は、図８のＩＩＩ部分の拡大構造を示す図である。
【考案を実施するための形態】
【００１８】
以下に、本考案の実施形態における図面を組み合わせて、本考案の実施形態の技術方案につき明瞭簡潔に述べる。なお、ここで記載する実施形態は本考案の実施形態の一つにすぎず、全ての実施形態でないことは言うまでもない。本考案の実施形態に基づいて、当業者が創造的労働を要することなく取得するその他全ての実施形態は、いずれも本考案の保護の範囲に属する。
【実施例１】
【００１９】
本考案の実施例１では、解体が容易なメッシュ式収納ラックを提供する。以下に、図面を組み合わせて、本実施例につき詳細に説明する。
【００２０】
図１〜図３を参照して、当該収納ラックは、第１フレーム１と、第１フレーム１の一方の側に装設されるとともに第１フレーム１と間隔を置いて設置される第２フレーム２を含む。前記第１フレーム１と第２フレーム２の間には、物を載置するための収納かご３が装設されている。前記収納かご３は少なくとも１つとするが、本実施例においては３つとすることが好ましい。なお、前記収納かご３の個数に制限はなく、第１フレーム１と第２フレーム２に対応して然るべく変更すべきである。
【００２１】
本実施例１において、第１フレーム１、第２フレーム２及び収納かご３は金属材料で作製することが好ましいが、言うまでもなく、例えばプラスチックのようなその他の材料で作製してもよく、本実施例１では材料を限定しない。
【００２２】
前記第１フレーム１と第２フレーム２は、中空又は中実の四角形の金属形材を一体的に折り曲げて成型するが、本実施例１においては、中空の四角形の金属形材を一体的に折り曲げて成型することが好ましい。
【００２３】
その他の実施例又はその他の選択において、前記第１フレーム１及び第２フレーム２は、更に、中空又は中実の円形の金属棒材を一体的に折り曲げて成型してもよいし、前記金属棒材を混ぜ、組み合わせて使用してもよい。
【００２４】
前記第１フレーム１と第２フレーム２は垂直且つ間隔を置いて設置される。第１フレーム１と第２フレーム２の互いに面する側には、それぞれ少なくとも１つのフック部材４が装設されている。前記フック部材４の数は収納かご３の数に対応している。本実施例１において、好ましくは、前記フック部材４は金属棒を折り曲げて成型可能であり、前記フック部材４を内側に折り曲げて成型することでフック４１を形成する。前記フック部材４と第１フレーム１又は第２フレーム２の接続方式は、溶接、挿接等とすればよい。本実施例１では、溶接による接続方式を使用することが好ましい。
【００２５】
図２に示すように、前記収納かご３は第１フレーム１と第２フレーム２の間に位置している。また、前記収納かご３には、均一に分布する複数のメッシュ孔が穿たれている。
【００２６】
図３に示すように、本実施例１において、前記フック支持部材５は、第１フック支持部材５１及び第２フック支持部材５２を含んでいる。前記第１フック支持部材５１は収納かご３の底部の一端に装設され、前記第２フック支持部材５２は収納かご３の底部の他端に装設される。前記フック支持部材５は、収納かご３の幅方向に沿って設置され、収納かご３の底部に対し支持作用を奏する。これにより、収納かご３の強度向上に一定の作用が奏されるため、収納かご３の積載能力を向上させることが可能である。また、前記第１フック支持部材５１と第２フック支持部材５２を下方に折り曲げることでフック部５３が成型されている。前記第１フック支持部材５１と第２フック支持部材５２のフック部５３は、板金製の金属プレートを下方に折り曲げて成型される。各フック部５３を第１フレーム１と第２フレーム２の対応するフック部材４のフック４１にそれぞれ係接することで、収納かご３と第１フレーム１及び第２フレーム２の解体可能な接続が実現される。
【００２７】
前記フック支持部材５と収納かご３の接続方式は、溶接、リベット接合又はボルト接続とする。本実施例１において、好ましくは、フック支持部材５と収納かご３の接続方式を溶接とする。これにより、接続強度が良好となり、操作しやすく、且つ突起が発生しにくくなる。
【００２８】
図１に示すように、本実施例１において、前記第１フレーム１と第２フレーム２の下方の一方の側にはユニバーサルホイール６１が装設されており、前記第１フレーム１と第２フレーム２の下方の別の側にはブレーキ付きのユニバーサルホイール６２が装設されている。前記第１フレーム１と第２フレーム２の下方には、収納ラックの移動を容易とする４つのユニバーサルホイールが装設されている。収納ラックを移動させる必要がない場合には、ブレーキ付きのユニバーサルホイール６２のブレーキ機能を発揮させて収納ラックを任意の場所に固定する。これにより、別の人が誤って触れることで収納ラックが移動するとの事態を防止可能となる。また、収納ラックを移動させる必要がある場合には、ブレーキ付きのユニバーサルホイール６２のブレーキ機能を解除すれば、自由に３６０°移動させることが可能となる。
【００２９】
組み付ける際には、収納かご３をフック支持部材５の両端のフック部５３を介して第１フレーム１と第２フレーム２における対応するフック部材４のフック４１にそれぞれ係接することで、収納かご３を層ごとに第１フレーム１及び第２フレーム２に一体的に組み付ける。これにより、収納かご３と第１フレーム１及び第２フレーム２の解体可能な接続を実現可能である。
【実施例２】
【００３０】
本実施例２は、前記フック支持部材５を図４〜６に示すように変形する点で実施例１とは異なる。
【００３１】
本実施例２のフック支持部材５の変形として、本実施例２では、前記フック支持部材５について、重量や金属材料の消耗の軽減及びコスト削減を考慮して、２つのフック支持部材５を４つのフック支持部材５に変更している。前記フック支持部材５は、第３フック支持部材５４、第４フック支持部５５、第５フック支持部材５６及び第６フック支持部５７を含む。前記第３フック支持部材５４と第５フック支持部材５６は収納かご３の底部の一端に装設され、前記第４フック支持部５５と第６フック支持部５７は収納かご３の底部の他端に装設される。前記第３フック支持部材５４、第４フック支持部５５、第５フック支持部材５６及び第６フック支持部５７にはいずれもフック部５３が設けられている。各フック部５３を第１フレーム１と第２フレーム２の対応するフック部材４のフック４１にそれぞれ係接することで、収納かご３と第１フレーム１及び第２フレーム２の解体可能な接続が実現される。
【実施例３】
【００３２】
本実施例３は、前記フック支持部材５を図７〜９に示すように変形する点で実施例１とは異なる。
【００３３】
本実施例３のフック支持部材５の変形として、本実施例３では、前記フック支持部材５について、重量や金属材料の消耗の更なる軽減及びコスト削減を考慮して、環状の金属棒から前記フック支持部材５を構成している。前記フック支持部材５は、第７フック支持部５８と第８フック支持部５９を含んでいる。前記第７フック支持部５８は収納かご３の底部の一端に装設され、前記第８フック支持部５９は収納かご３の底部の他端に装設される。前記フック部５３は金属棒を下方に折り曲げることで成型される。各フック部５３を第１フレーム１と第２フレーム２の対応するフック部材４のフック４１にそれぞれ係接することで、収納かご３と第１フレーム１及び第２フレーム２の解体可能な接続が実現される。
【００３４】
上述したように、本考案の有益な効果は次の通りである。即ち、本考案は、構造がシンプルであり、簡単且つ迅速に組み付けられ、解体後の占有スペースが小さく、梱包や運搬に便利であり、解体が容易であるとの利点を有する。
【００３５】
上記の実施例は本考案の好ましい実施形態であるが、本考案の実施形態は上記の実施例に限定されない。本考案の精神の本質及び原理を逸脱することなく実施されるその他あらゆる変形、補足、置き換え、組み合わせ、簡略化はいずれも等価の置き換えとみなすべきであり、本考案の保護の範囲に含まれる。
【符号の説明】
【００３６】
１  第１フレーム
２  第２フレーム
３  収納かご
４  フック部材
４１  フック
５  フック支持部材
５１  第１フック支持部材
５２  第２フック支持部材
５３  フック部
５４  第３フック支持部材
５５  第４フック支持部
５６  第５フック支持部材
５７  第６フック支持部
５８  第７フック支持部
５９  第８フック支持部
６１  ユニバーサルホイール
６２  ブレーキ付きのユニバーサルホイール
【図１】
0003229431.tif 000003
【図２】
0003229431.tif 000004
【図３】
0003229431.tif 000005
【図４】
0003229431.tif 000006
【図５】
0003229431.tif 000007
【図６】
0003229431.tif 000008
【図７】
0003229431.tif 000009
【図８】
0003229431.tif 000010
【図９】
0003229431.tif 000011